(57)【特許請求の範囲】
【請求項１】
画像または通話を転送する転送機能付通信端末装置において、
予め転送先を格納する転送先記憶部と、発呼者からの着呼を検出する発信者検出部と、着呼が、前記転送先記憶部に記憶されている者からの着呼であるか否かを検出する手段と、前記転送記憶部に記憶されている者からの着呼である場合に、前記発呼者からの呼び出し信号の回数を検出し、この呼び出し回数に応じ、前記転送先記憶部の転送のＯＮ／ＯＦＦを切り替える制御部とを備えたことを特徴とする転送機能付通信端末装置。
【請求項２】
画像または通話を転送する転送機能付通信端末装置において、
予め転送先を格納する転送先記憶部と、発呼者からの着呼を検出する発信者検出部と、着呼が、前記転送先記憶部に記憶されている者からの着呼であるか否かを検出する手段と、前記転送記憶部に記憶されている者からの着呼である場合に、前記発呼者からの所定時間内の着呼の回数を検出し、この着呼回数に応じ、前記転送先記憶部の転送のＯＮ／ＯＦＦを切り替える制御部とを備えたことを特徴とする転送機能付通信端末装置。
【請求項３】
画像または通話を転送する転送機能付通信端末装置において、
予め転送先を格納する転送先記憶部と、発呼者からの着呼を検出する発信者検出部と、着呼が、前記転送先記憶部に記憶されている者からの着呼であるか否かを検出する手段と、着呼時に呼び出し信号の回数を検出するか、所定時間内の着呼回数を検出するか予め設定する手段と、前記転送記憶部に記憶されている者からの着呼である場合に、前記設定手段による呼び出し信号回数設定下で、前記発呼者からの呼び出し信号の回数を検出し、この呼び出し信号回数に応じ、または前記設定手段による着呼回数の検出の設定下で、前記発呼者からの所定時間内の着呼の回数を検出し、この着呼回数に応じ、前記転送先記憶部の転送のＯＮ／ＯＦＦを切り替える制御部とを備えたことを特徴とする転送機能付通信端末装置。
【発明の詳細な説明】
【０００１】
【発明の属する技術分野】
この発明は、転送機能を有する通信端末装置に関する。
【０００２】
【従来の技術】
従来、音声や画像が着信した場合、これらを転送先に転送する機能を備えた転送機能付通信端末装置がある。この種の転送機能付通信端末装置では、外出先、移動先に転送させるために、予め装置に転送先番号を登録している。この転送先番号等の登録は、装置の入力部での操作により設定している。
【０００３】
【発明が解決しようとする課題】
上記したように、従来の通信端末装置では、転送及び転送先を設定するのに、装置の入力部での操作により行っていた。そのため、登録されていない外出先、出先から、装着に転送を設定する場合、あるいは同じ出先でも登録されている通信端末装置とは離れた場所に設置されている転送先として登録されていない通信端末装置に転送を設定する場合に、あるいは設定を廃止する場合に、転送元の通信端末装置の設置箇所に電話して、所在している他の人に設定依頼しなければならなかった。
【０００４】
この発明は上記問題点に着目してなされたものであって、外出先、出先からでも他人の労を要することなく、転送先を登録、廃止し得る転送機能付通信端末装置を提供することを目的としている。
【０００５】
【課題を解決するための手段】
この発明の転送機能付通信端末装置は、予め転送先を格納する転送先記憶部と、発呼者からの着呼を検出する発信者検出部と、着呼が、前記転送先記憶部に記憶されている者からの着呼であるか否かを検出する手段と、前記転送記憶部に記憶されている者からの着呼である場合に、前記発呼者からの呼び出し信号の回数を検出し、この呼び出し回数に応じ、前記転送先記憶部の転送のＯＮ／ＯＦＦを切り替える制御部とを備えている。
【０００６】
この転送機能付通信端末装置では、発呼側で呼び出し信号の回数を変えることにより、転送先を指定し、あるいは変更し、または廃止することができる。
【０００７】
また、この発明の第２の転送機能付通信端末装置は、予め転送先を格納する転送先記憶部と、発呼者からの着呼を検出する発信者検出部と、着呼が、前記転送先記憶部に記憶されている者からの着呼であるか否かを検出する手段と、前記転送記憶部に記憶されている者からの着呼である場合に、前記発呼者からの所定時間内の着呼の回数を検出し、この着呼回数に応じ、前記転送先記憶部の転送のＯＮ／ＯＦＦを切り替える制御部とを備えている。
この発明の転送機能付通信端末装置では、発呼側で所定時間内の発呼回数を変えることにより、外部より転送先を指定し、あるいは変更し、または廃止することができる。
【０００８】
また、この発明の第３の転送機能付通信端末装置は、予め転送先を格納する転送先記憶部と、発呼者からの着呼を検出する発信者検出部と、着呼が、前記転送先記憶部に記憶されている者からの着呼であるか否かを検出する手段と、着呼時に呼び出し信号の回数を検出するか、所定時間内の着呼回数を検出するか予め設定する手段と、前記転送記憶部に記憶されている者からの着呼である場合に、前記設定手段による呼び出し信号回数設定下で、前記発呼者からの呼び出し信号の回数を検出し、この呼び出し信号回数に応じ、または前記設定手段による着呼回数の検出の設定下で、前記発呼者からの所定時間内の着呼の回数を検出し、この着呼回数に応じ、前記転送先記憶部の転送のＯＮ／ＯＦＦを切り替える制御部とを備えている。
この発明の転送機能付通信端末装置では、発呼側で、着呼側の設定に応じ、呼び出しベルの回数を変えることにより、あるいは所定時間内の発呼回数を変えることにより、外部、出先から転送先を指定し、あるいは変更し、または廃止することができる。
【０００９】
【発明の実施の形態】
以下、実施の形態により、この発明をさらに詳細に説明する。図１は、この発明の一実施形態ファクシミリ装置（通信端末装置）が適用される通信システムの機器構成を示すブロック図である。図１では、ファクシミリ装置１１を有するユーザに発信元１３から交換機１２を介して、ファックスあるいは電話を受けた場合に、交換機１２を介して転送先１４に受信情報を転送する場合、また転送先１４から交換機１２を介して、ファクシミリ装置１１に対し、転送の設定変更を行うことを想定している。
【００１０】
ファクシミリ装置１１は、図２に示すように、ＮＣＵ１と、モデム２と、画像メモリ３と、ＲＡＭ４と、ＲＯＭ５と、主制御部（ＣＰＵ）６と、表示部７と、操作部８と、読み取り部９と、記録部１０とを備えている。
【００１１】
ＮＣＵ１は、電話回線２１との接続を制御するとともに、相手先の電話番号（＝対応したダイヤル信号）の送出及び着信を検出するための機能を備えている。モデム２は、ＩＴＵ−Ｔ勧告Ｔ．３０に従ったファクシミリ伝送制御手順に基づいて、Ｖ．１７、Ｖ．２７ｔｅｒ、Ｖ２９等に従った送受信データの変調及び復調を行う。また、モデム２はナンバーディスプレイ情報を受信するためにＶ２３機能も備えている。画像メモリ３は受信画像データや読み取り部９で読み取られた画像データを一時的に記憶する。ＲＡＭ４はファクシミリ装置に関する各種情報を一時的に記憶する。ＲＯＭ５は装置全体を制御するためのプログラムを記憶する。主制御部６は、ＣＰＵで構成され、ＲＯＭ５に記憶されたプログラムに従い、装置を構成する各部を制御する。表示部７は、装置の動作状態等の各種情報の表示を行う。操作部８はテンキー、ワンタッチキー、スタートキー、その他のキーで構成される。読み取り部９は原稿上の画像データを読み取って、白黒２値のイメージデータを出力する。記録部１０は電子写真式のプリンタよりなり、受信画像データやコピー動作において、読み取り部９で読み取られた原稿の画像データを記録紙上に記録する。
【００１２】
もっとも、ここに示す実施形態ファクシミリ装置１１のハード構成は、特に新規なものではなく、各回路構成自体は、既によく知られたものである。この実施形態ファクシミリ装置の新規な特徴事項は、ＲＯＭ５に格納されるシステムプログラムにより、主制御部６が実行する処理により、達成される機能にある。
【００１３】
ＲＡＭ４には、図３の（ａ）に示す電話転送用テーブル、図３の（ｂ）に示すファックス転送用テーブルを備えている。電話転送用テーブルは、転送時間帯と、転送先１、転送先２及び転送先３の番号、各転送先の許可フラグが格納されるようになっている。また、ファックス転送用テーブルは同じく転送時間帯と、転送先１、転送先２及び転送先３の番号、さらに各転送先の許可フラグが格納されるようになっている。
【００１４】
次に、この実施形態通信端末装置の処理機能の特徴及び処理動作を図４、図５及び図６に示すフロー図を参照して説明する。
【００１５】
動作開始で、先ずステップＳＴ１において、ＣＡＲ信号（情報受信端末起動信号）有りか否かを判定する。ＣＡＲ信号無しの場合は、有りとなるまで待機する。一方、ＣＡＲ信号有りの場合、ステップＳＴ２に移行する。ステップＳＴ２においては、発信元情報を検出する。そして、次にステップＳＴ３に移行する。
【００１６】
ステップＳＴ３においては、発信元は予め登録された番号か否か、受信した発信元情報と電話転送用テーブル及びファックス転送用テーブルの転送先番号と比較し、発信元は予め登録されたものであるか否かを判定する。予め登録された番号である場合は、ステップＳＴ４に移行する。一方、予め登録された番号でない場合は、ステップＳＴ１１に移行する。
【００１７】
ステップＳＴ４においては、設定方式が何であるかを判定する。ここでいう設定方式とは、外部より転送先を設定する方式として、着信回数で設定するか、呼び出しベル回数で設定するか、いずれを選択するかである。着信回数は１分間における着呼回数により、ベル回数は何回ベルが鳴るかにより、転送先を設定する。設定方式がベル回数方式の場合は、ステップＳＴ５に移行する。一方、設定方式が着信回数の場合は、ステップＳＴ１２に移行する。
【００１８】
ステップＳＴ５においては、呼び出しベル信号を検出する。そして、ステップＳＴ６に移行する。ステップＳＴ６においては、呼び出しベルの回数が１回か否かを判定する。呼び出しベルの回数が１回であれば、ステップＳＴ８に移行する。一方、ベルの回数が１回でない場合は、ステップＳＴ７に移行する。ステップＳＴ８においては、転送先として発信元の番号を指定入力し、現在が転送時間帯になっていない場合は、転送を許可するフラグを立てて転送を許可し、処理動作を終了する。
【００１９】
ステップＳＴ７においては、呼び出しベル回数が２回か３回かを判定する。ここでは４回以上鳴らさないようにしている。ベル回数が２回の場合には、ステップＳＴ９に移行する。一方、ベル回数が３回の場合は、ステップＳＴ１３に移行する。ステップＳＴ９においては、発信元は現在選択されている転送先か否かを判定する。現在選択されている転送先の場合は、ステップＳＴ１０へ移行する。現在選択されていない転送先の場合は、ステップＳＴ１４へ移行する。
【００２０】
ステップＳＴ１０においては、現在設定されている転送先への転送を中止する。つまり、その発信元に相当する転送先の許可フラグをＯＦＦする。そして、処理動作を終了する。ステップＳＴ１４においては、本日の転送時間帯について、発信元番号を転送先から除外する。この場合も、その発信元に相当する転送先の許可フラグをＯＦＦする。そして、その処理動作を終了する。ステップＳＴ４〜ＳＴ１４のルーチンは、呼び出しベルの回数の相違により、転送の設定変更を行う処理を示している。
【００２１】
ステップＳＴ１３においては、回線を閉結し、ステップＳＴ１５に移行する。ステップＳＴ１５においては、ＣＮＧ（非音声端末信号）検出か否か判定される。ＣＮＧ検出の場合は、ステップＳＴ１６へ移行する。ＣＮＧ検出無しの場合は、ステップＳＴ２３へ移行する。
【００２２】
ステップＳＴ１６においては、送られた来た画像を受信し、画像メモリ３に記憶する。そして、ステップＳＴ１７に移行する。ステップＳＴ１７においては、回線を断する。そして、ステップＳＴ１８へ移行する。ステップＳＴ１８においては、ファックス転送時間帯か否か判定する。ファックス転送時間帯であれば、ステップＳＴ１９へ移行する。一方、ファックス転送時間帯でなければ、ステップＳＴ２２へ移行する。
【００２３】
ステップＳＴ１９においては、ファックス転送用テーブルを参照して、許可された転送先があるか否かを判定する。許可された転送先があれば、ステップＳＴ２０に移行する。しかし、許可された転送先がなければ、ステップＳＴ２２に移行する。ステップＳＴ２０においては、許可されているその転送先にダイヤルする。そして、ステップＳＴ２１に移行する。ステップＳＴ２１において、画像メモリ３に格納してある受信画像を伝送する。これにより、処理を終了する。ステップＳＴ２２においては、転送時間帯でもなく、あるいは許可された転送先でもないので、受信画像をプリントのみして、処理を終了する。ステップＳＴ１５〜ＳＴ２２のルーチンは、ファックスの受信処理及びその転送処理を示している。
【００２４】
ステップＳＴ２３においては、電話転送時間帯か否か判定する。電話転送時間帯でない場合は、ステップＳＴ２４に移行する。一方、電話転送時間帯であれば、ステップＳＴ２５に移行する。ステップＳＴ２４においては、通話を行い、転送など行わず、処理を終了する。
【００２５】
ステップＳＴ２５においては、転送が許可されている転送先であるか否か判定する。転送先である場合には、ステップＳＴ２６へ移行する。許可された転送先がない場合は、ステップＳＴ３２に移行する。ステップＳＴ２６においては、転送先１から転送可の転送先を選択する。そして、ステップＳＴ２７へ移行する。ステップＳＴ２７においては、回線をフッキングし、ステップＳＴ２８へ移行する。ステップＳＴ２８においては、転送先番号をダイヤルし、ステップＳＴ２９に移行する。
【００２６】
ステップＳＴ２９においては、相手（転送先）が応答したか否かを判定する。相手応答の場合は、ステップＳＴ３０へ移行する。相手応答無しの場合は、ステップＳＴ３１へ移行する。ステップＳＴ３０においては、回線を開放する。つまり、転送完了で処理を終了する。
【００２７】
ステップＳＴ３１においては、未ダイヤルで転送可能な番号であるか判定する。転送可能な番号がさらにあれば、ステップＳＴ２８に戻る。既に、転送可能な番号がない場合は、ステップＳＴ３２へ移行する。ステップＳＴ２８では、再送転送先番号をダイヤルする。ステップＳＴ３２においては、回線を開放し、処理を終了する。ステップＳＴ１５、ステップＳＴ２３〜ＳＴ３２のルーチンは、電話の受信処理及び転送処理を示している。
【００２８】
ステップＳＴ１２においては、前の同一相手からの着呼は１分以内か否かを判定する。１分以内でない場合は、ステップＳＴ８に移行する。１分以内の場合はステップＳＴ９に移行する。ステップＳＴ８においては、転送先として発信元の番号を指定し、転送時間帯となっている場合は、転送を許可し、フラグを立てる。ステップＳＴ９においては、発信元は現在選択されている転送先か否か判定する。選択されている転送先の場合は、ステップＳＴ１０へ移行する。一方、選択されていない転送先の場合は、ステップＳＴ１４へ移行する。ステップＳＴ１０においては、現在設定されている転送先への転送を中止し、処理を終了する。ステップＳＴ１４においては、本日の転送時間帯について、発信元番号を転送先から除外する。ステップＳＴ４、ＳＴ１２、ＳＴ８〜ＳＴ１０、ＳＴ１４のルーチンは、着信回数の相違により、転送の設定変更を行う処理を示している。
【００２９】
【発明の効果】
請求項１に係る発明によれば、予め登録された発信者から着呼した場合に、この発呼者からの呼び出し信号の回数を検出し、この呼び出し信号回数に応じ、転送記憶部の転送のＯＮ／ＯＦＦを切り替えるので、発呼側で呼び出し信号の回数を変えることにより、外部、出先から転送先を設定し、あるいは変更し、または廃止することができる。
【００３０】
請求項２に係る発明によれば、予め登録された発信者から着呼した場合、この発呼者からの所定時間の着呼の回数に応じ、前記転送記憶部の転送のＯＮ／ＯＦＦを切り替えるので、発呼側で所定時間内の発呼の回数を変えることにより、外部、出先から転送先を設定し、あるいは変更し、または廃止することができる。
【００３１】
また、請求項３に係る発明によれば、予め発呼された発信者から着呼した場合、設定に応じ、この発呼者からの呼び出し信号回数に応じ、あいは発呼者からの所定時間内の発呼の回数に応じ、転送記憶部のＯＮ／ＯＦＦを切り替えるので、発呼側で呼び出し信号の回数を変えることにより、あるいは発呼側で所定時間内の発呼の回数を変えることにより、より自由に、外部、出先から転送先を設定し、あるいは変更し、または廃止することができる。
【図面の簡単な説明】
【図１】この発明の一実施形態である通信端末装置が適用される通信システムの機器構成を示すブロック図である。
【図２】この発明の一実施形態である通信端末装置のハード構成を示すブロック図である。
【図３】同実施形態通信端末装置のＲＡＭに備えられるテーブルを説明する図である。
【図４】同実施形態通信端末装置の処理動作を説明するためのフロー図である。
【図５】図４とともに、同実施形態通信端末装置の処理動作を説明するためのフロー図である。
【図６】図４、図５とともに、同実施形態通信端末装置の処理動作を説明するためのフロー図である。
【符号の説明】
１        ＮＣＵ
２        モデム
３        画像メモリ
４        ＲＡＭ
５        ＲＯＭ
６        主制御部
７        表示部
８        操作部
９        読み取り部
１０      記録部
２１      電話回線
２２      データバス
２３      電話機
【図１】
0003558002.tif 000002
【図２】
0003558002.tif 000003
【図３】
0003558002.tif 000004
【図４】
0003558002.tif 000005
【図５】
0003558002.tif 000006
【図６】
0003558002.tif 000007